(57)【要約】　　　（修正有）【課題】砕紙がモータ等の部品内に落ちて引っ掛かり、モータ等の部品の損傷を形成するのを防止し、また、フィード口端が砕紙により塞がれてそれ以上紙を挿入できなくなる状況を防止できるシュレッダーの提供。【解決手段】シュレッダーの二つの円形カッタの底部外側が紙押し板の底部に固定され、該カッタの大小の紙押し板及びケースの間に砕紙案内溝が形成され、モータが逆転する時、切り刻まれた紙がカッタ底端の砕紙タンク内に導入されて過多の砕紙がフィード口内を塞ぐのを防止し、これによりフィード口より紙を遅れない状況を発生させず、ケースがカッタ、モータ、減速機等の部品より隔離されて砕紙がモータ等の部品内に落ちることによる故障を防止し、別にケースに管座が設けられて二つの横向きの円管を収容し、二つの当接する円管により灰塵及び細物のシュレッダー内への進入を防止し、フィード口より二つのカッタが見えず、外観がよい。【選択図】　　　　図２
0003099280.tif 000002
【実用新案登録請求の範囲】
【請求項１】
　上蓋、底座、モータ、減速機、二つのカッタ及び紙押し板が組み合わされてなり、該上蓋の上端にフィード口とスイッチボタンが設けられ、モータ、減速機、二つのカッタ、及び紙押し板が底座に位置決めされ、該モータが歯車で組成された減速機を駆動すると共に、二つのカッタの歯車を駆動し回転させ、歯車に接合された軸棒により二つのカッタを回転させ、二つの円形のカッタの外周にラチェット刃が設けられ、二つのカッタが相互に交錯する方式で結合された、シュレッダーにおいて、
　二つのカッタの周辺にケースが固定され、その底部の外側に長く真っ直ぐな円管により紙押し板の底部が固定され、並びにカッタがモータ、減速機と隔離され、二つのカッタ間に大小の紙押し板が嵌め込まれ、これによりカッタの大小の紙押し板及びケースの間に案内溝が形成され、モータが逆転し砕紙を排出する時、砕紙が案内溝に沿ってカッタ底端の砕紙タンク内に排出されることを特徴とする、シュレッダー。
【請求項２】
　請求項１記載のシュレッダーにおいて、ケースの上端に管座が設けられ、該管座内に二つの円管が横向きに設置され、二つの当接する円管間が廃紙の挿入に供されると共に灰塵と細かい物のシュレッダー内への落下を防止することを特徴とする、シュレッダー。
【請求項３】
　請求項１記載のシュレッダーにおいて、カッタが第１及び第２刃で組成され、これらの刃に識別孔が設けられて、該識別孔により快速、正確にカッタが組み合わされることを特徴とする、シュレッダー。
【請求項４】
　請求項１記載のシュレッダーにおいて、二つのカッタ間の軸棒に可動式に塾片が設けられ、該塾片に係止溝が設けられて、該係止溝に紙押し板の係止縁が係止されることを特徴とする、シュレッダー。
【考案の詳細な説明】
【技術分野】
【０００１】
　本考案はシュレッダーに係り、特に、砕紙案内装置を具え、切り刻まれた紙を、モータ逆転時に案内装置に沿って排出でき、砕紙がモータ等の部品にひっかかかり故障を形成したり、フィード口が塞がれ紙の挿入ができなくなる状態を防止する機能を具えたシュレッダーに関する。
【背景技術】
【０００２】
　一般に周知のシュレッダーには砕紙案内装置が設置されておらず、このためカッタが紙を切り刻んだ後に、モータが逆転して砕紙を退出させてフィード口端より逆方向に底端の砕紙タンク内に落とすとき、砕紙がシュレッダー内に押し込まれてモータ等の部品にひっかかる。砕紙の量が多くなると、紙がフィード口を塞ぐことがあり、この時、それ以上紙を挿入できなくなり、シュレッダー全体を分解して砕紙を捨てなければ、砕紙作業を行なえなくなる。さらに、一般にシュレッダーのフィード口の上端から直接シュレッダーのカッタが見え、歯状のカッタは外観が悪く、且つ灰塵や細かい物がカッタ内に落ちやすく、このためカッタの使用寿命に影響が生じた。
【考案の開示】
【考案が解決しようとする課題】
【０００３】
　このため、上述の従来のシュレッダーの欠点を解決して機能を高めた構造が求められている。
【０００４】
　ゆえに、本考案の主要な目的は、一種のシュレッダーを提供することにあり、それは、シュレッダーのカッタ間に大小の紙押し板が設けられて、紙の入出を案内する大きな紙押し板とカッタの小さい紙押し板の間に案内溝が形成され、該案内溝が砕紙をモータ逆転時にカッタ底端の砕紙タンク内に導入し、これにより砕紙がモータ等の部品内に落ちて引っ掛かり、モータ等の部品の損傷を形成するのを防止し、また、フィード口端が砕紙により塞がれてそれ以上紙を挿入できなくなる状況を防止できるものとする。
【０００５】
　本考案のもう一つの目的は、一種のシュレッダーを提供することにあり、それは、フィード口内に二つの円管が設けられ、平時に該円管が一体に当接され、これによりシュレッダー上端より内部のカッタが見えず、外観がよいほか、灰塵、細かい物がシュレッダー内に落ちるのを防止できるものとする。
　本考案のさらにもう一つの目的は、一種のシュレッダーを提供することにあり、それは、カッタの第１及び第２副カッタに識別孔が設けられ、二つのカッタの識別孔の対応により、速やかに、正確にカッタを組み合わせることができるものとする。
【課題を解決するための手段】
【０００６】
　請求項１の考案は、上蓋、底座、モータ、減速機、二つのカッタ及び紙押し板が組み合わされてなり、該上蓋の上端にフィード口とスイッチボタンが設けられ、モータ、減速機、二つのカッタ、及び紙押し板が底座に位置決めされ、該モータが歯車で組成された減速機を駆動すると共に、二つのカッタの歯車を駆動し回転させ、歯車に接合された軸棒により二つのカッタを回転させ、二つの円形のカッタの外周にラチェット刃が設けられ、二つのカッタが相互に交錯する方式で結合された、シュレッダーにおいて、
　二つのカッタの周辺にケースが固定され、その底部の外側に長く真っ直ぐな円管により紙押し板の底部が固定され、並びにカッタがモータ、減速機と隔離され、二つのカッタ間に大小の紙押し板が嵌め込まれ、これによりカッタの大小の紙押し板及びケースの間に案内溝が形成され、モータが逆転し砕紙を排出する時、砕紙が案内溝に沿ってカッタ底端の砕紙タンク内に排出されることを特徴とする、シュレッダーとしている。
　請求項２の考案は、請求項１記載のシュレッダーにおいて、ケースの上端に管座が設けられ、該管座内に二つの円管が横向きに設置され、二つの当接する円管間が廃紙の挿入に供されると共に灰塵と細かい物のシュレッダー内への落下を防止することを特徴とする、シュレッダーとしている。
　請求項３の考案は、請求項１記載のシュレッダーにおいて、カッタが第１及び第２刃で組成され、これらの刃に識別孔が設けられて、該識別孔により快速、正確にカッタが組み合わされることを特徴とする、シュレッダーとしている。
　請求項４の考案は、請求項１記載のシュレッダーにおいて、二つのカッタ間の軸棒に可動式に塾片が設けられ、該塾片に係止溝が設けられて、該係止溝に紙押し板の係止縁が係止されることを特徴とする、シュレッダーとしている。
【考案の効果】
【０００７】
　本考案のシュレッダーは、砕紙案内装置を具え、切り刻まれた紙を、モータ逆転時に案内装置に沿って排出でき、砕紙がモータ等の部品にひっかかかり故障を形成したり、フィード口が塞がれ紙の挿入ができなくなる状態を防止する機能を具えている。
【考案を実施するための最良の形態】
【０００８】
　各図を参照されたい。本考案は上蓋１、底座２、モータ３、減速機４、二つのカッタ５、６及び紙押し板７、７’が組み合わされてなる。
【０００９】
　該上蓋１の上端には斜めのフィード口１１とシュレッダーのスイッチボタン１２が設けられている（図１）。該上蓋１の底端には集積回路板、電線及び各種の回路装置が固定さえている。底座２内にはモータ３、減速機４、二つのカッタ５、６及び紙押し板７、７’等の部品が位置決めされ、モータ３は電線で上蓋１の集積回路とスイッチに接続され、モータ３は減速機４を駆動し回転させる。該減速機４は若干の歯車で組成された減速機構であり、図２、３に示されるように、モータ３の軸と減速機４の歯車４１が軸接され、歯車４１の軸棒４１１がもう一つの歯車４２に噛み合い、該歯車４２の軸４２１が小歯車４３と噛み合い、小歯車４３が更に大歯車４４と噛み合い、大歯車４４が二つの歯車４５、４６に連接され、該二つの歯車４５、４６がそれぞれカッタ５、６の軸棒５１、６１と軸接され、減速機４により二つのカッタ５、６が駆動され回転するものとされ、該カッタ５、６は円形外周にラチェット刃５２１、６２１を具えた砕紙カッタとされ、各カッタ５、６が第１及び第２刃５２、６２で組成され、該刃５２、６２に識別孔５３、６３が設けられ（図５）、速やかに正確にカッタを組み合わせることができ、二組のカッタ５、６が相互に交錯する方式で結合されて、紙を切り刻む。本考案の特徴は以下のとおりである。
【００１０】
　二つのカッタ５、６の周辺にケース（カバー）８が固定され、第１、第２刃５２、６２の間に紙押し板７、７’が嵌め込まれ（図３）、この配列方式は、二つの小さい紙押し板７の間に大きい紙押し板７’が設置され、このような相互に交錯する配置方式により、その空間が増加されてケース８との間に案内溝８１が形成されて、紙の案内に供される。カッタ５、６が紙を切り刻み、モータ３が逆転する時、砕紙は案内溝８１に沿ってカッタ５、６の底端に排出され、並びに砕紙タンク１０内に落ちる。大きな紙押し板７’は二つのカッタ５、６、モータ３、減速機４等の部品より隔離して設置され、これによりモータ３の逆転時に砕紙が部品内に落ちて部品の故障を形成するのを防止できる。図４、５及び図６に示されるように、二つのカッタ５、６の底部外側に長く真っ直ぐな円管７１が設置され、該円管７１が、大小の紙押し板７、７’の下方の円弧形の係止溝７２に位置決めされ、二つのカッタ５、６間の軸棒５１、６１に塾片７３が可動式に設置されて、該塾片７３に係止溝７３１が設けられて紙押し板７’の係止縁７４を係止する（図６及び図７）。
【００１１】
　さらに、ケース８の上端に管座９が固定され、該管座９内に横向きに二つの円管９１が設置され、二つの円管９１が平時に当接し、灰塵或いは細かい物のシュレッダー内への落下を防止し、紙を挿入する時は、二つの円管９１中より挿入すると、円管９１が紙の厚さにより押し開かれ、紙をシュレッダーのカッタ５、６端に進入させることができる。
【００１２】
　総合すると、本考案のシュレッダーは、二つのカッタの周辺にケースが設けられ、二つのカッタの間に二つの小さい紙押し板及び一つの大きい紙押し板が嵌め込まれ、小さい紙押し板と大きい紙押し板が交錯するよう設置され、ケースとの間に案内溝が形成され、これにより砕紙を案内溝に沿って砕紙タンク内に送ることができ、フィード口の詰まりが送り込む廃紙量に影響を与えるのを防止する。さらに、ケースの上端に横向きに二つの円管が置かれて灰塵、細かい物のシュレッダー内への落下を防止すると共に外観を良くする。本考案の実用機能は明らかであり、また本考案の構造は未公開であり、実用新案登録の要件に符合する。
【図面の簡単な説明】
【００１３】
【図１】本考案の外観図である。
【図２】本考案の構造図である。
【図３】本考案の側面断面図である。
【図４】本考案の部分拡大図である。
【図５】本考案のカッタの立体図である。
【図６】本考案の紙押し板が軸棒に固定された状態を示す図である。
【図７】本考案の紙押し板が塾片に係止された状態を示す図である。
【符号の説明】
【００１４】
１　上蓋　　　　　　１１　フィード口　　　　　１２　スイッチボタン
２　底座　　　　　　３　モータ　　　　　　　　４　減速機
４１　歯車　　　　　４１１　軸棒　　　　　　　４２　歯車
４２１　軸棒　　　　４３　小歯車　　　　　　　４４　大歯車
４５　歯車　　　　　４６　歯車　　　　　　　　５　カッタ
５１　軸棒　　　　　５２　刃　　　　　　　　　５２１　ラチェット刃
５３　識別孔　　　　６　カッタ　　　　　　　　６１　軸棒
６２　刃　　　　　　６２１　ラチェット刃　　　６３　識別孔
７、７’　紙押し板　７１　円管　　　　　　　　７２　係止溝
７３　塾片　　　　　７３１　係止溝　　　　　　７４　係止縁
８　ケース　　　　　８１　案内溝　　　　　　　９　管座
９１　円管　　　　　１０　砕紙タンク
【図１】
0003099280.tif 000003
【図２】
0003099280.tif 000004
【図３】
0003099280.tif 000005
【図４】
0003099280.tif 000006
【図５】
0003099280.tif 000007
【図６】
0003099280.tif 000008
【図７】
0003099280.tif 000009